(57)【要約】【課題】車両が充電場所に到着する前に、車両間の充電予約枠の譲渡交渉を効率的に行なう。【解決手段】充電予約システムは、複数の車両および複数の充電スタンドと無線通信可能なデータセンターを備える。データセンターは、今から充電予約を行なおうとなる対象車から、既に他車に割り当てられている他車予約枠への割り当て要求を無線通信で受信した場合、他車予約枠の譲渡の可否を他車に無線通信で問合せる。そして、データセンターは、上記の問合せに対して、他車予約枠の譲渡を了承する旨の返信を他車から無線通信で受信した場合、他車予約枠を対象車に割り当てる。【選択図】図３
2018049447.tif 000002
【特許請求の範囲】
【請求項１】
各々が車外の電力で車載の蓄電装置を充電可能な複数の電動車両の充電予約システムであって、
前記複数の電動車両と無線通信可能に構成された通信装置と、
前記通信装置が受信した信号に従って、充電場所および充電時間帯で規定される複数の予約枠の割り当てを管理する管理装置とを備え、
前記管理装置は、
第１車両に第１予約枠が割り当てられ第２車両に第２予約枠が割り当てられている状況で、前記第２予約枠への割り当て要求を前記第１車両から受信した場合、前記第２予約枠から前記第１予約枠への予約変更を提案して前記第２予約枠の譲渡の可否を前記第２車両に問合せ、
前記第２予約枠の譲渡を了承する旨の返信を前記第２車両から受信した場合、前記第２予約枠を前記第１車両に割り当てる、充電予約システム。
【発明の詳細な説明】
【技術分野】
【０００１】
本開示は、各々が車外の電力で車載の蓄電装置を充電可能な複数の電動車両の充電予約を管理する技術に関する。
【背景技術】
【０００２】
特開２０１３−４２５７９号公報（特許文献１）には、電動車両の充電予約を受け付ける充電予約システムを備える充電スタンドが開示されている。この充電予約システムは、充電スタンド内の給電設備に対象車が接続されると、その対象車に対して、通常予約（順次予約）と、通常予約よりも充電料金の高い優先予約とのいずれかの予約を受け付ける。充電予約システムは、対象車が優先予約を希望する場合、既に通常予約を済ませて待機している他車に対して優先予約の割込の許否を問合せ、割込を許可した他車よりも先に対象車を充電するように充電スケジュールを決定する。
【先行技術文献】
【特許文献】
【０００３】
【特許文献１】特開２０１３−４２５７９号公報
【発明の概要】
【発明が解決しようとする課題】
【０００４】
しかしながら、特許文献１に開示された充電予約システムにおいては、対象車が充電スタンドに到着した後（給電設備に接続された後）に、他車に対して優先予約の割込の許否を問合せている。そのため、優先予約を希望するユーザは、優先予約を充電スタンド到着前に確定させることはできない。対象車が充電スタンドに到着した後に対象車のユーザが優先予約を希望しても、他車が優先予約の割込を許可しない場合には、優先予約は行なわれない。
【０００５】
また、特許文献１に開示された充電予約システムにおいては、優先予約の割込の許否の問合せを受ける他車も、充電スタンド内の給電設備に接続された状態である。このような状態で何の代替案もなく優先予約の割込の許否の問合せを受けたとしても、他車のユーザとしては、たとえば割込によって充電完了時刻が出発予定時刻よりも遅れる場合には、他の充電スタンドや充電時間帯への予約変更等を新たに検討する必要が生じるため、優先予約の割込を受け入れ難い状況にある。
【０００６】
本開示は、上述の課題を解決するためになされたものであって、その目的は、車両が充電場所に到着する前に、車両間の充電予約枠の譲渡交渉を効率的に行なうことである。
【課題を解決するための手段】
【０００７】
本開示による充電予約システムは、各々が車外の電力で車載の蓄電装置を充電可能な複数の電動車両の充電予約システムである。この充電予約システムは、複数の電動車両と無線通信可能に構成された通信装置と、通信装置が受信した信号に従って、充電場所および充電時間帯で規定される複数の充電予約枠の割り当てを管理する管理装置とを備える。管理装置は、第１車両に第１予約枠が割り当てられ第２車両に第２予約枠が割り当てられている状況で、第２予約枠への割り当て要求を第１車両から無線通信で受信した場合、第２予約枠から第１予約枠への予約変更を提案して第２予約枠の譲渡の可否を第２車両に無線通信で問合せる。管理装置は、第２予約枠の譲渡を了承する旨の返信を第２車両から無線通信で受信した場合、第２予約枠を第１車両に割り当てる。
【０００８】
上記構成によれば、管理装置は、第１車両からの充電予約枠への割り当て要求を無線通信で受け付けるとともに、充電予約枠の譲渡の可否の問合せおよび返信の受け付けを第２車両との間の無線通信によって行なう。そのため、各車両がそれぞれの充電場所の充電設備に接続されていない状態であっても充電予約枠の譲渡交渉を行なうことができる。すなわち、各車両がそれぞれの充電場所に到着する前に充電予約枠の譲渡交渉を行なうことができる。
【０００９】
さらに、管理装置は、第２車両に割り当てられている第２予約枠の譲渡の可否を第２車両に問合せる際、第１車両に割り当てられている第１予約枠が存在する場合には、代替案として、第１予約枠への予約変更を第２車両に提示する。そのため、何の代替案も提示せずに第２予約枠の譲渡の可否を第２車両に問合せる場合に比べて、第２車両のユーザが第２予約枠の譲渡を了承し易い状況を作り出すことができる。そのため、充電予約枠の譲渡交渉を効率的に行なうことができる。
【００１０】
その結果、本開示による充電予約システムは、車両が充電場所に到着する前に、車両間の充電予約枠の譲渡交渉を効率的に行なうことができる。
【図面の簡単な説明】
【００１１】
【図１】充電予約システムの全体構成の一例を模式的に示す図である。
【図２】車両およびデータセンターの構成の一例をより詳細に示す図である。
【図３】充電予約枠の譲渡交渉の処理手順の一例を示すフローチャートである。
【図４】対象車のディスプレイに表示される充電予約一覧の一例を示す図である。
【発明を実施するための形態】
【００１２】
以下、本開示の実施の形態について、図面を参照しながら詳細に説明する。なお、図中同一または相当部分には同一符号を付してその説明は繰り返さない。
【００１３】
図１は、本実施の形態による充電予約システム１の全体構成の一例を模式的に示す図である。充電予約システム１は、複数の車両１０と、データセンター３０と、複数（図１に示す例ではＡ〜Ｄの４つ）の充電スタンド４０とを含む。
【００１４】
車両１０の各々は、車外の電力で車載電池を充電する外部充電が可能な電動車両である。車両１０の各々は、データセンター３０との間で無線通信可能に構成される。車両１０は、駆動力源としてモータを備える電気自動車（ＥＶ）であっても、駆動力源としてモータとエンジンとを備えるプラグインハイブリッッド自動車（ＰＨＶ）であってもよい。以下では、車両１０のうち、充電スタンドの予約をしようとしている車両を「対象車１１」とも記載し、対象車１１以外の車両１０を「他車１２」とも記載する。
【００１５】
充電スタンド４０の各々は、車両１０の外部充電を行なうための給電設備を備える、不特定多数のユーザが利用可能な公共の施設である。充電スタンド４０の各々は、データセンター３０との間で無線通信可能に構成される。
【００１６】
個人で所有可能な車両１０の数は、公共の施設である充電スタンド４０の数よりも、かなり多いことが想定される。そのため、公共の充電スタンド４０を効率的に利用することが望まれる。その対策として、本実施の形態による充電予約システム１は、車両１０が利用する充電スタンド４０（充電場所）および充電時間帯の予約状況の管理を行なうデータセンター３０を備える。具体的には、データセンター３０は、複数の車両１０および複数の充電スタンド４０と無線通信することによって、充電場所（充電スタンド４０）および充電時間帯で規定される充電予約枠の各車両１０への割り当てを管理する。
【００１７】
図２は、車両１０およびデータセンター３０の構成の一例をより詳細に示す図である。車両１０は、インレット１３と、充電器１４と、駆動用電池１５と、駆動装置１６と、通信装置１７と、ＨＭＩ（Human  Machine  Interface）装置１８と、制御装置１９とを含む。データセンター３０は、通信装置３１と、管理装置３２と、メモリ３３とを備える。
【００１８】
まず、車両１０の構成を説明する。インレット１３は、充電スタンド４０に設けられる給電設備４１のコネクタ４２と接続可能に構成される。充電器１４は、インレット１３と駆動用電池１５との間に設けられ、充電スタンド４０から入力される電力を駆動用電池１５に充電可能な電力に変換し、変換された電力を駆動用電池１５へ出力する。駆動用電池１５は、再充電可能な蓄電装置であり、たとえばニッケル水素電池やリチウムイオン電池等の二次電池である。
【００１９】
駆動装置１６は、駆動用電池１５から供給される電力を用いて車両駆動力を発生する。駆動装置１６は、駆動輪に機械的に接続されたモータジェネレータと、モータジェネレータの通電量を制御するパワーコントロールユニット（インバータなど）とを含む。駆動装置１６の出力（モータジェネレータの通電量）は、制御装置１９からの制御信号によって制御される。駆動装置１６に含まれるモータジェネレータの数は１つであっても２つ以上であってもよい。なお、車両１０がプラグインハイブリッッド自動車（ＰＨＶ）である場合には、車両１０は、駆動装置１６に加えて、エンジン（図示せず）をさらに含む。
【００２０】
通信装置１７は、データセンター３０（通信装置３１）との間で無線通信可能に構成される。通信装置１７は、制御装置１９と通信線で接続されており、制御装置１９から伝達された情報をデータセンター３０に送信したり、データセンター３０から受信した情報を制御装置１９に伝達したりする。
【００２１】
ＨＭＩ装置１８は、車両１０の運転を支援するためのさまざまな情報をユーザに提供したり、ユーザの操作を受け付けたりする装置である。ＨＭＩ装置１８は、室内に設けられたディスプレイ、スピーカなどを含む。なお、ＨＭＩ装置１８は、たとえば、ナビゲーション装置（図示せず）のディスプレイやスピーカが流用されてもよい。
【００２２】
制御装置１９は、図示しないＣＰＵおよびメモリを内蔵し、当該メモリに記憶された情報や各センサからの情報に基づいて車両１０の各機器（充電器１４、駆動装置１６、通信装置１７、ＨＭＩ装置１８など）を制御する。
【００２３】
次に、データセンター３０の構成を説明する。上述のように、データセンター３０は、通信装置３１と、管理装置３２と、メモリ３３とを備える。
【００２４】
通信装置３１は、車両１０（通信装置１７）との間で無線通信可能に構成される。また、通信装置３１は、充電スタンド４０の給電設備４１とも無線通信可能に構成される。通信装置３１は、管理装置３２と通信線で接続されており、管理装置３２から伝達された情報を車両１０に送信したり、車両１０から受信した情報を管理装置３２に伝達したりする。
【００２５】
メモリ３３は、上述の充電予約枠の割り当てを示す情報を記憶する。管理装置３２は、図示しないＣＰＵを内蔵し、通信装置３１からの情報に基づいて、メモリ３３に記憶されている充電予約枠の割り当ての管理（予約の受付、変更、削除など）を行なう。
【００２６】
＜充電予約枠の譲渡交渉＞
以下、本実施の形態による充電予約システム１による、充電予約枠の譲渡交渉について説明する。なお、充電予約枠の譲渡とは、他車１２が予約済の充電予約枠を対象車１１に譲ることをいう。
【００２７】
上述のように、本実施の形態による充電予約システム１は、データセンター３０が充電予約枠の割り当てを管理する。ところが、電気自動車（ＥＶ）やプラグインハイブリッド自動車（ＰＨＶ）といった外部充電可能な電動車両の数は，今後、さらに増加することが予測される。そのため、充電スタンド４０の数が慢性的に不足し、充電スタンド４０の利用を待つ行列が増加したり、充電スタンド４０での外部充電の機会が失われて電欠（駆動用電池１５の枯渇）によって路上で停止する電動車両が生じたりすることが懸念される。したがって、公共の充電スタンド４０をユーザ間で譲り合う仕組みを構築し、充電スタンド４０をさらに効率的に利用することが強く望まれる。
【００２８】
この点に鑑み、本実施の形態による充電予約システム１においては、データセンター３０が各車両１０との無線通信を行なうことによって充電予約枠の譲渡交渉を行なう。具体的には、データセンター３０は、対象車１１から、既に他車１２に割り当てられている充電予約枠（以下「他車予約枠」ともいう）への割り当て要求を無線通信で受信した場合、他車予約枠の譲渡の可否を他車１２に無線通信で問合せる。そして、データセンター３０は、上記の問合せに対して、他車予約枠の譲渡を了承する旨の返信を他車１２から無線通信で受信した場合、他車予約枠を対象車１１に割り当てる。そのため、対象車１１および他車１２がそれぞれ予約した充電スタンドに到着する前に、対象車１１と他車１２との間での充電予約枠の譲渡交渉を行なうことができる。
【００２９】
さらに、データセンター３０は、他車予約枠の譲渡の可否を他車１２に問合せる際、他車１２が利用可能な代替案を提示する。そのため、何の代替案も提示せずに他車予約枠の譲渡の可否を他車１２に問合せる場合に比べて、他車１２のユーザが他車予約枠の譲渡を了承し易い状況を作り出すことができる。そのため、他車予約枠の譲渡交渉を効率的に行なうことができる。
【００３０】
その結果、本実施の形態による充電予約システム１は、各車両１０がそれぞれ予約した充電スタンド４０に到着する前に、各車両１０間の充電予約枠の譲渡交渉を効率的に行なうことができる。
【００３１】
図３は、対象車１１、他車１２、データセンター３０が連携して実行する、充電予約枠の譲渡交渉の処理手順の一例を示すフローチャートである。なお、図３に示される、対象車１１、他車１２、データセンター３０の間の情報伝達は、いずれも無線通信を用いて行われる。
【００３２】
＜＜対象車の処理＞＞
まず、対象車１１（より詳しくは対象車１１の制御装置１９）が実行する処理手順の一例について説明する。
【００３３】
対象車１１は、ステップ（以下、ステップを「Ｓ」と略す）１０にて、充電予約枠の割り当て状況を示す充電予約一覧を送付することを要求する信号（以下「予約一覧送付要求」という）をデータセンター３０に送信する。なお、予約一覧送付要求には、送付要求エリアを特定するための情報（以下「送付要求エリア情報」ともいう）が含まれる。たとえば、対象車１１は、走行予定経路が決まっている場合には、現在位置および走行予定経路を送付要求エリア情報とする。また、対象車１１は、走行予定経路が決まっていない場合には、現在位置を送付要求エリア情報とする。なお、現在位置はナビゲーション装置（図示せず）によって計測される。走行予定経路は、ユーザの要求に応じてナビゲーション装置によって設定される。
【００３４】
後述するように、データセンター３０は、対象車１１から予約一覧送付要求を受信すると、充電予約一覧（図４参照）を示す情報を対象車１１に送信する。
【００３５】
対象車１１は、データセンター３０から充電予約一覧を示す情報を受信すると、受信した充電予約一覧（図４参照）をＨＭＩ装置１８のディスプレイに表示する（Ｓ１１）。この際、対象車１１は、他車予約枠（既に他車１２に割り当てられている充電予約枠）と、いずれの車両にも割り当てられていないの充電予約枠（以下「空き予約枠」ともいう）と、対象車１１が既に予約済である充電予約枠（以下「対象車予約枠」ともいう）とを、対象車１１のユーザが区別できるように表示する。対象車１１のユーザは、表示された充電予約一覧を確認しながら、利用を希望する充電予約枠をたとえば表示画面をタッチすることによって選択することができる。この際、ユーザは、空き予約枠だけでなく他車予約枠を選択することも可能である。
【００３６】
対象車１１は、ユーザによって充電予約枠が選択されたか否かを判定する（Ｓ１２）。充電予約枠が選択されていない場合（Ｓ１２にてＮＯ）、対象車１１は、処理をＳ１２に戻し、充電予約枠が選択されるのを待つ。なお、所定時間が経過しても充電予約枠が選択されない場合には強制的に処理を終了するようにしてもよい。
【００３７】
充電予約枠が選択された場合（Ｓ１２にてＹＥＳ）、対象車１１は、ユーザによって選択された充電予約枠（以下「要求予約枠」ともいう）への割り当て要求をデータセンター３０に送信する（Ｓ１３）。後述するように、データセンター３０は、対象車１１からの割り当て要求に応じてメモリ３３に記憶される充電予約一覧を変更した場合には、変更後の充電予約一覧を示す情報を対象車１１に送信する。
【００３８】
対象車１１は、データセンター３０から変更後の充電予約一覧を示す情報を受信すると、受信した変更後の充電予約一覧をＨＭＩ装置１８のディスプレイに表示する（Ｓ１４）。対象車１１のユーザは、表示された変更後の充電予約一覧を見て、自らの選択した充電予約枠が対象車１１に割り当てられたことを確認することができる。
【００３９】
＜＜データセンターの処理＞＞
次に、データセンター３０（より具体的にはデータセンター３０の管理装置３２）が実行する処理手順の一例について説明する。
【００４０】
データセンター３０は、対象車１１から予約一覧送付要求を受信すると、予約一覧送付要求に含まれる送付要求エリア情報から送付エリアを特定し、送付エリアに存在する充電スタンド４０の充電予約一覧（図４参照）を示す情報を対象車１１に送信する（Ｓ２０）。なお、データセンター３０は、対象車１１から受信した送付要求エリア情報に対象車１１の現在位置および走行予定経路が含まれる場合には、現在位置から所定距離（たとえば数ｋｍ程度）内の走行予定経路沿いのエリアを送付エリアと特定する。また、データセンター３０は、対象車１１から受信した送付要求エリア情報に対象車１１の現在位置のみが含まれる場合には、現在位置から所定距離内のエリアを送付エリアと特定する。
【００４１】
その後、データセンター３０は、対象車１１から要求予約枠への割り当て要求を受信すると、要求予約枠が既に他車１２によって予約されている他車予約枠であるか否かを判定する（Ｓ２１）。
【００４２】
要求予約枠が他車予約枠である場合（Ｓ２１にてＹＥＳ）、データセンター３０は、他車１２に提示する代替案があるか否かを判定する。たとえば、要求予約枠とは別に、対象車１１が既に予約済である対象車予約枠がある場合、データセンター３０は、他車予約枠から対象車予約枠への予約変更を行なう案を代替案とする。また、データセンター３０は、対象車予約枠がない場合、他車予約枠に近い空き予約枠があるか否かを探索し、他車予約枠に近い空き予約枠がある場合には、他車予約枠に近い空き予約枠への予約変更を行なう案を代替案とする。
【００４３】
代替案がない場合（Ｓ２２にてＮＯ）、データセンター３０は、要求予約枠の変更を対象車１１へ要請する。この要請に応じて、対象車１１は、充電予約枠の選択（Ｓ１２）以降の処理を再び実行する。
【００４４】
代替案がある場合（Ｓ２２にてＹＥＳ）、データセンター３０は、代替案を提示して他車予約枠の譲渡の可否を他車１２に問合せる（Ｓ２３）。後述するように、他車１２は、データセンター３０からの問合せに対して、他車予約枠の譲渡を了承する場合には、その旨を示す信号をデータセンター３０に送信する。
【００４５】
データセンター３０は、他車予約枠の譲渡を了承する旨の返信を他車１２から受信すると、他車予約枠と重複していた要求予約枠を対象車１１に割り当てるように充電予約一覧を変更し（Ｓ２４）、変更後の充電予約一覧を対象車１１に送信する（Ｓ２５）。これにより、要求予約枠が対象車予約枠となる。
【００４６】
なお、要求予約枠が他車予約枠でない場合（Ｓ２１にてＮＯ）、データセンター３０は、Ｓ２２、Ｓ２３の処理をスキップして、要求予約枠を対象車１１に割り当てるように充電予約一覧を変更し（Ｓ２４）、変更後の充電予約一覧を対象車１１に送信する（Ｓ２５）。これにより、要求予約枠が対象車予約枠となる。
【００４７】
＜＜他車の処理＞＞
次に、他車１２（より具体的には他車１２の制御装置１９）が実行する処理手順の一例について説明する。
【００４８】
他車１２は、データセンター３０から代替案および他車予約枠の譲渡の可否の問合せを受信したことに応じて、ユーザが他車予約枠の譲渡を了承するか否かを判定する（Ｓ３０）。たとえば、他車１２は、データセンター３０からの代替案および問合せの内容をＨＭＩ装置１８のディスプレイに表示する。他車１２のユーザは、ディスプレイの表示内容を確認しながら、他車予約枠の譲渡を了承するか否かを選択することができる。他車予約枠の譲渡を了承する場合、他車１２のユーザは、代替案あるいはそれ以外の予約枠への新たな割り当てを希望するのか、それとも新たな予約枠への割り当てを希望しないのかを、さらに選択することができる。
【００４９】
ユーザが他車予約枠の譲渡を了承しない場合（Ｓ３０にてＮＯ）、他車１２は、了承しない旨をデータセンター３０に返信する。この返信に応じて、データセンター３０は、代替案の検討（Ｓ２２）以降の処理を再び実行する。
【００５０】
ユーザが他車予約枠の譲渡を了承する場合（Ｓ３０にてＹＥＳ）、他車１２は、他車予約枠の譲渡を了承する旨をデータセンター３０に返信する（Ｓ３１）。この際、他車１２のユーザが新たな予約枠への割り当てを希望する場合には、他車１２は、新たな予約枠への割り当て要求を、他車予約枠の譲渡を了承する旨に合せてデータセンター３０に返信する。
【００５１】
なお、データセンター３０は、他車予約枠の譲渡を了承する旨の他車１２からの返信を受信したことに応じて、上述したように、要求予約枠を対象車１１に割り当てるように充電予約一覧を変更し（Ｓ２４）、変更後の充電予約一覧を対象車１１に送信する（Ｓ２５）。なお、データセンター３０が変更後の充電予約一覧を他車１２にも送信するようにしてもよい。
【００５２】
図４は、対象車１１のディスプレイに表示される充電予約一覧の一例を示す図である。図４に示される例では、充電予約枠が、対象車１１の走行予定経路内に現在位置か近い順に存在する４つの充電スタンドＡ〜Ｄと、各充電スタンドにおける３つの時間帯Ｔ１〜Ｔ３とで規定されている。図４において、「可」は空き予約枠を示し、「予約済（対象車）」は対象車予約枠を示し、「予約済（他車）」は他車予約枠を示す。
【００５３】
図４に示す例では、充電スタンドＣの時間帯Ｔ３が対象車両予約枠として既に対象車１１に割り当てられている。このような状況において、対象車１１のユーザは、予定よりも手前の充電スタンドで予定よりも早い時間帯に充電することを希望する場合、充電スタンドＢに到着する前に、充電スタンドＢの時間帯Ｔ２を要求予約枠としてデータセンター３０に無線通信で送信することによって、充電スタンドＣの時間帯Ｔ３から、充電スタンドＢの時間帯Ｔ２への予約変更をデータセンター３０に要求することができる。
【００５４】
データセンター３０は、充電スタンドＢの時間帯Ｔ２を要求予約枠とする信号を対象車１１から受信すると、要求予約枠（充電スタンドＢ、時間帯Ｔ２）が既に予約済（他車予約枠）であるか否かを判定する。図４に示す例では、充電スタンドＢの時間帯Ｔ２は既に予約済であるため、データセンター３０は、他車予約枠（充電スタンドＢ、時間帯Ｔ２）の譲渡の可否を他車１２に無線通信で問合せる。この際、対象車１１に既に割り当てられた対象車予約枠（充電スタンドＣ、時間帯Ｔ３）が存在するため、データセンター３０は、代替案として、他車予約枠（充電スタンドＢ、時間帯Ｔ２）から対象車予約枠（充電スタンドＣ、時間帯Ｔ３）への予約変更を行なう案を他車１２に提示する。
【００５５】
データセンター３０は、他車予約枠（充電スタンドＢ、時間帯Ｔ２）の譲渡を了承する旨の返信を他車１２から無線通信で受信すると、他車予約枠（充電スタンドＢ、時間帯Ｔ２）に割り当てる車両を、他車１２から対象車１１に変更する処理を行なう。
【００５６】
以上のように、本実施の形態による充電予約システム１においては、データセンター３０が各車両１０との無線通信を行なうことによって充電予約枠の譲渡交渉を行なう。そのため、各車両１０がそれぞれ予約した充電スタンドに到着する前に充電予約枠の譲渡交渉を行なうことができる。さらに、データセンター３０は、他車予約枠の譲渡の可否を他車１２に問合せる際、他車１２が利用可能な代替案を合せて提示する。そのため、何の代替案も提示しない場合に比べて、他車１２のユーザが他車予約枠の譲渡を了承し易い状況を作り出すことができる。そのため、他車予約枠の譲渡交渉を効率的に行なうことができる。その結果、本実施の形態による充電予約システム１は、各車両１０がそれぞれ予約した充電スタンド４０に到着する前に、車両間の充電予約枠の譲渡交渉を効率的に行なうことができる。
【００５７】
＜変形例＞
（１）  上述の実施の形態においては、充電予約枠の譲渡交渉の対象となる車両の候補（以下「交渉候補」ともいう）が１つである場合について説明した。しかしながら、交渉候補は複数であってもよい。たとえば、交渉の対象となる充電スタンドに複数の給電設備がある場合には、複数の給電設備をそれぞれ予約している複数の他車を交渉候補とすることができる。
【００５８】
交渉候補が複数である場合には、交渉する優先順を、電気自動車（ＥＶ）であるのか、プラグインハイブリッッド自動車（ＰＨＶ）であるのかによって決めるようにしてもよい。具体的には、プラグインハイブリッッド自動車は、駆動力源としてモータに加えてエンジンを備えるため、駆動力源としてモータのみを備える電気自動車に比べて、外部充電の緊急性が低いことが想定される。したがって、プラグインハイブリッッド自動車のほうが電気自動車よりも充電予約枠の譲渡を了承する可能性が高いことが想定される。この点に鑑み、交渉候補が複数あり、その中にプラグインハイブリッッド自動車と電気自動車とが含まれる場合、プラグインハイブリッッド自動車との譲渡交渉を先に行ない、プラグインハイブリッッド自動車との交渉が決裂した場合に電気自動車と譲渡交渉を行なうようにしてもよい。
【００５９】
（２）  上述の実施の形態においては、対象車１１のディスプレイに表示される充電予約一覧に充電スタンドと充電時間帯とが含まれる例を説明した（図４参照）。しかしながら、充電予約一覧に他の情報が含まれていてもよい。
【００６０】
たとえば、充電予約一覧に、充電スタンドの最大送電電力を示す情報が含まれていてもよい。このようにすると、対象車１１のユーザは、対象車１１の最大受電電力と充電スタンドの最大送電電力とを考慮しながら充電予約枠を選択することができる。たとえば、最大受電電力が所定値Ｐ１（たとえば６ｋｗ程度）である対象車１１が、最大送電電力が所定値Ｐ１よりも小さい所定値Ｐ２（たとえば３ｋｗ程度）の充電スタンドを予約している状況において、対象車１１に外部充電を早期に完了したいというニーズが生じた場合には、対象車１１のユーザは、充電予約一覧を見ながら、最大送電電力が所定値Ｐ１である充電スタンドを予約し直すことができる。この際、最大送電電力が所定値Ｐ１である充電スタンドが既に他車１２に予約されている場合には、データセンター３０が他車１２に対して充電予約枠の譲渡交渉を行なうことになる。
【００６１】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００６２】
１  充電予約システム、１０  車両、１１  対象車、１２  他車、１３  インレット、１４  充電器、１５  駆動用電池、１６  駆動装置、１７  通信装置、１８  ＨＭＩ装置、１９  制御装置、３０  データセンター、３１  通信装置、３２  管理装置、３３  メモリ、４０  充電スタンド、４１  給電設備、４２  コネクタ。
【図１】
2018049447.tif 000003
【図２】
2018049447.tif 000004
【図３】
2018049447.tif 000005
【図４】
2018049447.tif 000006